(57)【要約】【課題】ネットワークを介して通話が可能とされた通話装置、及び、通話制御方法、並びに、プログラムに関し、通話着信を容易にコントロールできる通話装置、及び、通話制御方法、並びに、プログラムを提供することを目的とする。【解決手段】本発明は、他の通話装置と通話が可能とされた通話装置であって、通話相手を１つ以上のグループ分けしたグループ毎に通話相手の親密度レベルが定義された親密度情報と、前記グループ毎に親密度レベルが設定されたグループ情報と、グループ情報毎の親密度レベルに応じた通話条件が複数定義されたポリシー情報とが予め登録されたデータベースを有し、着信があったときにデータベースに登録されたポリシー情報のうち、予め通話ポリシーによって選択されたポリシー情報に基づいて通話相手からの着信を制御する着信制御手段を有することを特徴とする。【選択図】図１
2008060917.tif 000002
【特許請求の範囲】
【請求項１】
他の通話装置と通話が可能とされた通話装置であって、
通話相手を１つ以上のグループ分けしたグループ毎に通話相手の親密度レベルが定義された親密度情報と、前記グループ毎に親密度レベルが設定されたグループ情報と、前記グループ情報毎の親密度レベルに応じた通話条件が複数定義されたポリシー情報とが予め登録されたデータベースを有し、着信があったときに、前記データベースに登録された前記ポリシー情報のうち、予め通話ポリシーによって選択されたポリシー情報に基づいて前記通話相手からの着信を制御する着信制御手段を有することを特徴とする通話装置。
【請求項２】
前記通話制御手段は、前記データベースに予めポリシー名毎にポリシー情報が登録されており、ポリシー適用操作により指定された前記ポリシー名に基づいて前記データベースから前記ポリシー名に対応するポリシー情報を取得し、適用するポリシー情報を取得したポリシー情報に切り換えることを特徴とする請求項１記載の通話装置。
【請求項３】
前記通話制御手段は、前記通話相手のグループ情報を識別し、
前記グループ情報に適用されているポリシー情報に基づいて前記通話相手との着信を制御することを特徴とする請求項１又は２記載の移動通話装置。
【請求項４】
前記通話制御手段は、前記通話相手からの着信に対して通話許可、又は、録音、又は、着信拒否のいずれかの着信制御を選択することを特徴とする請求項１記載の通話装置。
【請求項５】
通話回数に応じて前記親密度情報を自動更新する更新手段を有することを特徴とする請求項１記載の通話装置。
【請求項６】
他の通話装置と通話が可能とされた通話装置の通話制御方法であって、
通話相手を１つ以上のグループ分けしたグループ毎に通話相手の親密度レベルが定義された親密度情報と、前記グループ毎に親密度レベルが設定されたグループ情報と、前記グループ情報毎の親密度レベルに応じた通話条件が複数定義されたポリシー情報とが予め登録されたデータベースを有し、
着信があったときに前記データベースに登録された前記ポリシー情報のうち、予め通話ポリシーによって選択されたポリシー情報に基づいて前記通話相手からの着信を制御することを特徴とする通話装置の通話制御方法。
【請求項７】
通話装置に搭載されるコンピュータに、
通話相手から着信があったときに、通話相手を１つ以上のグループ分けしたグループ毎に通話相手の親密度レベルが定義された親密度情報と、前記グループ毎に親密度レベルが設定されたグループ情報と、前記グループ情報毎の親密度レベルに応じた通話条件が複数定義されたポリシー情報とが予め登録されたデータベースを参照し、前記データベースに登録された前記ポリシー情報のうち、予め通話ポリシーによって選択されたポリシー情報に基づいて前記通話装置での前記通話相手からの着信を制御させることを特徴とするコンピュータ読み取り可能なプログラム。
【発明の詳細な説明】
【技術分野】
【０００１】
本発明は通話装置、及び、通話制御方法、並びに、プログラムに係り、特に、ネットワークを介して通話が可能とされた通話装置、及び、通話制御方法、並びに、プログラムに関する。
【背景技術】
【０００２】
近年、携帯電話などの電子通信機器の発達に伴い、迷惑電話なども急増しており、これらの機器には迷惑電話から防御する機能が望まれている。
【０００３】
なお、従来、電子メールなどの分野においてはスパムメールなどの迷惑メールなどに対しては、スパムメールが持つ特有の単語などを文章から認識して、あるメールがスパムかそうでないかを自動的に判断し、スパムであれば即座に分離する処理を行うスパムフィルタ機能を有するソフトウェアによって、防御されていた（例えば、特許文献１参照）。
【特許文献１】特開２００５−３１７０２８号公報
【発明の開示】
【発明が解決しようとする課題】
【０００４】
しかるに、従来、電話などの通話着信に対しては防御する機能はなかった。しかし、電話はかける側の都合で通話相手にかけるため、受ける側の時間や場所の都合にかかわらず電話がかかってくる。そのため、かかってきた側は相手先情報を一旦確認して電話を受信するか、しないかを判断する必要があり、自分の都合では受信の制御ができないのが現状であった。このため、通話着信をコントロールできるようにすることが望まれていた。
【０００５】
本発明は上記の点に鑑みてなされたもので、通話着信を容易にコントロールできる通話装置、及び、通話制御方法、並びに、プログラムを提供することを目的とする。
【課題を解決するための手段】
【０００６】
本発明は、他の通話装置と通話が可能とされた通話装置であって、通話相手を１つ以上のグループ分けしたグループ毎に通話相手の親密度レベルが定義された親密度情報と、グループ毎に親密度レベルが設定されたグループ情報と、グループ情報毎の親密度レベルに応じた通話条件が複数定義されたポリシー情報とが予め登録されたデータベースを有し、着信があったときにデータベースに登録されたポリシー情報のうち、予め通話ポリシーによって選択されたポリシー情報に基づいて通話相手からの着信を制御する着信制御手段を有することを特徴とする。
【０００７】
また、データベースに予めポリシー名毎にポリシー情報を登録しておき、通話制御手段でポリシー適用操作により指定されたポリシー名に基づいてデータベースからポリシー名に対応するポリシー情報を取得し、適用するポリシー情報を取得したポリシー情報に切り換えることを特徴とする。
【０００８】
さらに、通話制御手段は、通話相手のグループ情報を識別し、グループ情報と適用されているポリシー情報とに基づいて通話相手との着信を制御することを特徴とする。
【０００９】
通話制御手段は通話相手からの着信に対して通話許可、又は、録音、又は、着信拒否のいずれかの着信制御を選択することを特徴とする。
【００１０】
通話回数に応じて親密度情報を自動更新する更新手段を有することを特徴とする。
【００１１】
また、本発明は、他の通話装置と通話が可能とされた通話装置の通話制御方法であって、通話相手を１つ以上のグループ分けしたグループ毎に通話相手の親密度レベルが定義されたグループ情報と、前記グループ情報毎に親密度レベルが設定された親密度情報と、グループ情報毎の親密度レベルに応じた通話条件が複数定義されたポリシー情報とが予め登録されたデータベースを有し、着信があったときにデータベースに登録されたポリシー情報のうち、予め通話ポリシーによって選択されたポリシー情報に基づいて通話相手からの着信を制御することを特徴とする。
【００１２】
さらに、本発明は、通話装置に搭載されるコンピュータ読み取り可能なプログラムであって、コンピュータに通話相手から着信があったときに、通話相手を１つ以上のグループ分けしたグループ毎に通話相手の親密度レベルが定義された親密度情報と、グループ毎に親密度レベルが設定されたグループ情報と、グループ情報毎の親密度レベルに応じた通話条件が複数定義されたポリシー情報とが予め登録されたデータベースを参照し、データベースに登録されたポリシー情報のうち、予め通話ポリシーによって選択されたポリシー情報に基づいて通話装置での通話相手からの着信を制御させることを特徴とする。
【発明の効果】
【００１３】
本発明によれば、着信があったときにデータベースに登録されたポリシー情報のうち、予め通話ポリシーによって選択されたポリシー情報に基づいて通話相手からの着信を許可又は保留又は拒否させることにより、データベースの設定に基づいて迷惑な通話を拒否することができ、例えば、利用シーンに合わせて通話相手と通話を行うことができる。
【発明を実施するための最良の形態】
【００１４】
図１は本発明の一実施例のシステム構成図を示す。
【００１５】
本実施例の通話システム１００は、例えば、無線携帯電話を用いた通話システムであり、無線携帯電話機などからなる携帯端末装置１１１（以降、単に携帯端末と呼ぶ）に対して他の携帯端末装置１１２（以降、単に、携帯端末と呼ぶ）からネットワーク１１３を介して着信可能な構成とされており、携帯端末１１１は内部に設定された相手情報及びその親密度情報に基づいて携帯端末１１２からの着信をポリシー情報に基づいて制御する。ポリシー情報による着信制御としては、例えば、通話相手、すなわち、携帯端末１１２からの着信に対して通話許可、又は、録音、又は、着信拒否などの着信制御が設定可能である。
【００１６】
図２は携帯端末１１１のブロック構成図を示す。
【００１７】
携帯端末１１１は、主に、通信手段１２１、通話手段１２２、ポリシー取得手段１２３、表示手段１２４、制御手段１２５、ポリシー定義手段１２６、相手定義手段１２７、相手管理手段１２８、ポリシー管理手段１２９、データベース１３０、情報編集手段１３１、入力手段１３２から構成されている。
【００１８】
通信手段１２１は、ネットワーク１１３を介して携帯端末１１２との通信を行うための手段である。
【００１９】
通話手段１２２は、着信相手と通話を行うための手段である。
【００２０】
ポリシー取得手段１２３は、着信時に着信相手の電話番号に基づいてデータベース１３０を検索してポリシー情報を取得するための手段である。
【００２１】
表示手段１２４は、液晶ディスプレイなどから構成され、メニュー画面、設定画面などを表示する。
【００２２】
制御手段１２５は、全体制御を行うための手段である。
【００２３】
ポリシー定義手段１２６は、データベース１３０にポリシー情報を設定するための手段である。
【００２４】
相手定義手段１２７は、データベース１３０に制御対象となる相手の氏名、電話番号などの情報を設定するための手段である。
【００２５】
相手管理手段１２８は、データベース１３０の相手情報を管理し、データベース１３０に設定された相手情報を追加、変更、削除するための手段である。
【００２６】
ポリシー管理手段１２９は、データベース１３０のポリシー情報を管理し、データベース１３０に設定されたポリシー情報を追加、変更、削除するための手段である。
【００２７】
図３はデータベース１３０のデータ構成図を示す。
【００２８】
データベース１３０は、主に、相手情報テーブル１４１、恒久親密度情報テーブル１４２、一時親密度情報テーブル１４３、親密度制御情報テーブル１４４、グループ情報テーブル１４５、ポリシー情報テーブル１４６から構成されている。
【００２９】
相手情報テーブル１４１は、通話相手を識別するためのテーブルであり、氏名情報、制御対象フラグ、電話番号情報から構成されている。氏名情報は、相手の氏名を示す情報である。制御対象フラグは、着信制御を行うか否かを設定するためのフラグである。電話番号情報は、相手の電話番号を示す情報である。例えば、「○山×夫」さんは、制御対象フラグが「○」すなわち、着信制御を行う対象であり、その電話番号情報は「０９００８７６５４３２１」である。また、例えば、「△山□夫」さんは、制御対象フラグが「×」すなわち、着信制御を行う対象ではなく、その電話番号情報は「０３０１２３４５６７」である。
【００３０】
恒久親密度情報テーブル１４２は、例えば、初期化時に用いられる親密度情報が恒久的に設定されたテーブルであり、通話相手毎に、その属するグループ、親密度、設定回数などの情報が設定された構成とされている。例えば、「○山×夫」はグループＧ１、Ｇ２に属しており、グループＧ１では、親密度が「１」に設定されており、その設定回数は「０」とされ、グループＧ２では親密度が「０」に設定され、その設定回数は「０」とされる。例えば、「△川□子」はグループＧ２にのみ属しており、グループＧ２では親密度が「０」に設定されており、その設定回数は「０」とされる。
【００３１】
一時親密度情報テーブル１４３は、一時的に使用する親密度情報を設定するためのテーブルである。通話相手毎に、その属するグループ、親密度、設定回数などの情報が設定された構成とされている。例えば、「○山×夫」はグループＧ１、Ｇ２に属しており、グループＧ１では親密度が「１」に設定されており、その設定回数は「ｎｎ」であり、グループＧ２では親密度が「０」、回数が「ｎｎ」回である。例えば、「△川□子」はグループＧ２にのみ属しており、グループＧ２では親密度が「０」に設定されており、その設定回数は「０」である。
【００３２】
親密度制御情報テーブル１４４は、グループ毎の閾値、条件などが設定されており、親密度とその制御をグループ毎に設定したテーブルである。例えば、グループＧ１は２０回以上着信すると、着信を許可するように親密度を制御し、グループＧ２は設定回数が１０回以上になると通話を許可するように親密度を制御する旨の設定がされている。
【００３３】
グループ情報テーブル１４５は、グループ毎に適用される親密度情報が設定されたテーブルである。例えば、グループＧ１は親密度として「０」、「１」、「２」が設定され、グループＧ２は親密度として「０」、「１」が設定されている。
【００３４】
ポリシー情報テーブル１４６は、グループとその親密度毎にポリシー情報が設定されたテーブルであり、グループ情報毎の親密度レベルに応じた通話条件が複数定義されたポリシー情報から構成される。例えば、ポリシーＴＰＯ１においては、グループＧ１の親密度「０」、「１」、「２」、グループＧ２の親密度「０」、「１」、未登録状態の全ての親密度において「通話」が許可されるように設定されている。
【００３５】
また、ポリシーＴＰＯ２においては、グループＧ１は未登録として扱われ、グループＧ２は親密度「０」、「１」で「通話」が許可されるように設定されている。なお、未登録の場合は「通話」は行われずに「録音」とされるように設定されている。
【００３６】
さらに、ポリシーＴＰＯｎにおいてはグループＧ１の親密度「０」、「１」で「通話」が許可され、グループＧ１の親密度「２」で「録音」とされるように設定されている。また、グループＧ２は未登録に設定される。さらに、未登録の場合は、着信は「拒否」とされるように設定されている。
【００３７】
情報編集手段１３１は、情報を編集して表示手段１２４に表示させるための手段である。
【００３８】
入力手段１３２は、例えば、キースイッチであり、操作指示、データ入力などを行うための手段である。
【００３９】
次に携帯端末１１１の動作概要を説明する。
【００４０】
図４、図５は本発明の一実施例の動作の概要を説明するための図を示す。
【００４１】
図４では、通話相手Ｕ11はグループＧ１に親密度「０」で、通話相手Ｕ12はグループＧ１に親密度「１」で、通話相手Ｕ13はグループＧ１に親密度「２」でデータベース１３０に登録されている。また、通話相手Ｕ21はグループＧ２に親密度「１」で、通話相手Ｕ22はグループＧ２に親密度「０」でデータベース１３０に登録されている。このとき、ポリシー情報が図４に示すように設定されている。なお、同じ通話相手を複数の異なったポリシーに登録しておくことも可能である。
【００４２】
このとき、ポリシーＴＰＯ１では、グループＧ１に属する通話相手Ｕ11、Ｕ12、Ｕ21、Ｕ22からの着信に対しては通話が許可される。また、ポリシーＴＰＯ２では、グループＧ２に属する通話相手Ｕ21、Ｕ22からの着信に対しては通話が許可され、通話相手Ｕ11、Ｕ12、Ｕ13は未登録とされ、留守番録音とされる。
【００４３】
また、例えば、ポリシーＴＰＯ１が適用されているときには、図５に示すようにグループＧ１で親密度「２」の通話相手Ｕ12からの着信に対しては留守番電話センターに接続して、留守番録音が実行される。また、グループＧ２で親密度「１」の通話相手Ｕ21からの着信は、通話可能とされる。さらに、未登録の通話相手Ｕ31からの着信に対しては着信が拒否される。
【００４４】
また、親密度は、通話相手からの設定回数に基づいて自動更新される。
【００４５】
図６は親密度の自動更新と退避・復元を説明するための図を示す。
【００４６】
恒久親密度情報テーブル１４２では、例えば、図６に示すように通話相手Ｕ11、Ｕ12のグループＧ１での親密度は「２」、設定回数は「０」に設定されている。ここで、通話相手Ｕ12と通話が２０回になると、グループＧ１の親密度情報更新の閾値は親密度制御情報テーブル１４４から２０回に設定されているので、通話相手Ｕ12の親密度が１ランクアップして、親密度「２」から「１」に更新される。なお、初期化操作を行うことによって恒久親密度情報テーブル１４２に設定された親密度、回数が一時親密度情報テーブル１４３にセットされる。
【００４７】
図７は本発明の一実施例の着信時の動作説明図を示す。
【００４８】
図７に示すように本実施例によれば、ポリシーＴＰＯ１、ＴＰＯ２・・・を例えば、仕事モード、遊びモードなど多様に設定しておき、場面によって切り換えることにより、不要な着信を拒否でき、必要な通話相手とだけ通話を行うことができる。
【００４９】
例えば、ポリシーとして仕事モードを設定したときには、会社の人との通話を可能とするとともに緊急連絡として身内者との通話を可能とし、友人などからの着信は録音とすることができる。また、ポリシーとして遊びモードを設定したときには、友人との通話を可能とするとともに緊急連絡として身内者との通話を可能とし、会社の人などからの着信は録音とすることができる。
【００５０】
次に本実施例の通話システム１００の動作の概略について説明する。
【００５１】
図８は本発明の一実施例の概略動作説明図を示す。
【００５２】
まず、携帯端末１１１は、ステップＳ１でグループ情報、相手情報、ポリシー情報、親密度制御情報などを定義しておき、ステップＳ２で場面に応じてポリシーを選択する。携帯端末１１１は、ステップＳ３で通話相手の携帯端末１１２から着信要求があると、ステップＳ４でポリシーチェックを行う。携帯端末１１１は、ステップＳ５でポリシーチェックの結果、着信を許可する場合には、ステップＳ６で携帯端末１１２からの着信を許可する。また、携帯端末１１１は、ステップＳ７でポリシーチェックの結果、留守録の場合には、ステップＳ８で携帯端末１１２に留守録の指示を与える。さらに、携帯端末１１１は、ステップＳ９でポリシーチェックの結果、着信拒否の場合には、ステップＳ１０でオフフックする。
【００５３】
次に携帯端末１１１の処理の詳細について説明する。
【００５４】
図９は携帯端末１１１の処理フローチャートを示す。
【００５５】
携帯端末１１１は、入力手段１３２の操作によりメニュー画面が選択されると、ステップＳ１−１の操作待ち状態となる。携帯端末１１１は、入力手段１３２の操作によりステップＳ１−２で電話帳選択操作が行われると、ステップＳ１−３で電話帳選択処理状態に移行する。携帯端末１１１は、ステップＳ１−１の操作待ち状態で、入力手段１３２の操作によりステップＳ１−４で親密度選択操作が行われると、ステップＳ１−５で親密度選択処理状態に移行する。
【００５６】
携帯端末１１１は、ステップＳ１−１の操作待ち状態で、入力手段１３２の操作によりステップＳ１−６でポリシー選択操作が行われると、ステップＳ１−７でポリシー選択処理が実行される。携帯端末１１１はステップＳ１−１の操作待ち状態で、ステップＳ１−８で着信があると、ステップＳ１−９で着信制御処理状態に移行する。携帯端末１１１は、操作がない場合は、ステップＳ１−１０で電源が切断されるまでステップＳ１−１〜Ｓ１−９を繰り返す。
【００５７】
次にステップＳ１−３の電話帳選択処理について説明する。
【００５８】
図１０は携帯端末１１１の電話帳選択処理の処理フローチャートを示す。
【００５９】
携帯端末１１１は、電話帳選択処理に移行するとステップＳ２−１で操作待ち状態となる。携帯端末１１１は、ステップＳ２−１の操作待ち状態で、入力手段１３２の操作によりステップＳ２−２でグループ登録操作が行われると、ステップＳ２−３でグループ登録処理状態に移行する。携帯端末１１１は、ステップＳ２−１の操作待ち状態で、入力手段１３２の操作によりステップＳ２−４でグループ参照操作が行われると、ステップＳ２−５でグループ参照処理状態に移行する。
【００６０】
携帯端末１１１は、ステップＳ２−１の操作待ち状態で、入力手段１３２の操作によりステップＳ２−６で電話帳登録操作が行われると、ステップＳ２−７で電話帳登録処理状態に移行する携帯端末１１１はステップＳ１−１の操作待ち状態で、ステップＳ２−８で着信があると、ステップＳ２−９で着信制御処理が実行される。携帯端末１１１は、ステップＳ２−１０で電話帳選択解除操作が行われるまでステップＳ２−１〜Ｓ２−９を繰り返す。
【００６１】
次にステップＳ２−３のグループ登録処理について説明する。
【００６２】
図１１はグループ登録処理の処理フローチャートを示す。
【００６３】
携帯端末１１１はグループ登録処理に移行すると、ステップＳ３−１で操作待ち合わせ状態となる。携帯端末１１１は、ステップＳ３−１の操作待ち合わせ状態で、入力手段１３２の操作によりステップＳ３−２でグループ名が入力されると、ステップＳ３−３で入力内容が正当化否かを判定する。
【００６４】
携帯端末１１１は、ステップＳ３−３で入力内容が正当であれば、ステップＳ３−４でグループ名を記憶する。また、携帯端末１１１は、ステップＳ３−３で入力内容が正当でなければ、ステップＳ３−５で表示手段１２４にエラー表示を行う。また、携帯端末１１１は、ステップＳ３−６で入力手段１３２の操作により設定操作が行われると、ステップＳ３−７で設定情報を記憶する。
【００６５】
さらに、携帯端末１１１は、ステップＳ３−８で登録操作が行われると、ステップＳ３−９で記憶された登録情報が正当か否かを判定する。携帯端末１１１は、ステップＳ３−９で記憶された登録情報が正当であれば、ステップＳ３−１０でグループ情報及びそれに対応する親密度制御情報をデータベース１３０に登録する。
【００６６】
携帯端末１１１は、ステップＳ３−１１でグループ登録処理が解除されるまで、上記ステップＳ３−１〜Ｓ３−１０の処理を繰り返す。
【００６７】
次にステップＳ２−５のグループ参照処理について説明する。
【００６８】
図１２はグループ参照処理の処理フローチャートを示す。
【００６９】
携帯端末１１１は、グループ参照処理に移行すると、ステップＳ４−１で操作待ち合わせ状態となる。携帯端末１１１は入力手段１３２の操作によりステップＳ４−２で参照情報が選択されると、ステップＳ４−３で選択された参照情報を表示手段１２４に表示する。携帯端末１１１は、ステップＳ４−４でグループ登録処理が解除されるまで、上記ステップＳ４−１〜Ｓ４−３の処理を繰り返す。
【００７０】
次にステップＳ２−７の電話帳登録処理について説明する。
【００７１】
図１３は電話帳登録処理の処理フローチャートを示す。
【００７２】
携帯端末１１１は電話帳登録処理に移行すると、ステップＳ５−１で操作待ち合わせ状態となる。携帯端末１１１は、入力手段１３２の操作によりステップＳ５−２で名前入力画面を表示手段１２４に表示し、名前が入力されると、ステップＳ５−３で入力内容の正当性、例えば、字数を判定し、入力内容が正当であると、ステップＳ５−４で入力された名前をデータベース１３０に記憶する。携帯端末１１１はステップＳ５−３で入力された名前が正当でない場合には、ステップＳ５−５で表示手段１２４にエラー表示を行う。
【００７３】
また、携帯端末１１１は、入力手段１３２の操作によりステップＳ５−６で電話番号入力画面を表示手段１２４に表示し、電話番号が入力されると、ステップＳ５−７で入力内容の正当性、例えば、数字か否か、あるいは、桁数を判定し、入力内容が正当であると、ステップＳ５−８で入力された電話番号をデータベース１３０に記憶する。携帯端末１１１はステップＳ５−７で入力された電話番号が正当でない場合には、ステップＳ５−５で表示手段１２４にエラー表示を行う。
【００７４】
また、携帯端末１１１は、入力手段１３２の操作によりステップＳ５−９で決定操作を行うことにより入力された氏名、電話番号をメモリなどに一時的に記憶する。
【００７５】
さらに、携帯端末１１１は、入力手段１３２の操作によりステップＳ５−１０で登録操作が行われると、ステップＳ５−１１でメモリなどに一時的に記憶された名前・電話番号などの情報の正当性を判定する。携帯端末１１１はステップＳ５−１１で名前・電話番号などの情報が正当である場合には、ステップＳ５−１２で入力された名前・電話番号などの情報をデータベース１３０に登録する。
【００７６】
また、携帯端末１１１は、ステップＳ５−１１で名前・電話番号などの情報が不当である場合には、ステップＳ５−５で表示手段１２４にエラー表示を行う。
【００７７】
携帯端末１１１は、ステップＳ５−１３で電話帳登録処理が解除されるまで、ステップＳ５−１〜Ｓ５−１２の処理を繰り返す。
【００７８】
次にステップＳ１−５の親密度選択処理について説明する。
【００７９】
図１４は親密度選択処理の処理フローチャートを示す。
【００８０】
携帯端末１１１は、親密度選択処理に遷移すると、入力手段１３２による操作を待ち合わせる。携帯端末１１１は、ステップＳ６−１の操作待ち状態で、入力手段１３２の操作によりステップＳ６−２で親密度初期化操作が行われると、ステップＳ６−３で親密度初期化処理状態に移行する。また、携帯端末１１１は、ステップＳ６−４で、入力手段１３２の操作により親密度反映操作が行われると、ステップＳ６−５で親密度反映処理状態に移行する。
【００８１】
携帯端末１１１は、ステップＳ６−６で、入力手段１３２の操作により親密度参照操作が行われると、ステップＳ６−７で親密度参照処理状態に移行する。携帯端末１１１はステップＳ６−８で着信があると、ステップＳ６−９で着信制御処理状態に移行する。携帯端末１１１は、ステップＳ６−１０で入力手段１３２の操作により親密度選択処理が解除されるまでステップＳ６−１〜Ｓ６−９を繰り返す。
【００８２】
次にステップＳ６−３の親密度初期化処理について説明する。
【００８３】
図１５は親密度初期化処理の処理フローチャートを示す。
【００８４】
携帯端末１１１は、親密度初期化処理に遷移すると、ステップＳ７−１で入力手段１３２による操作を待ち合わせる。携帯端末１１１は、ステップＳ７−２で入力手段１３２によりグループ名選択操作が行われると、ステップＳ７−３でグループ名を選択する。
【００８５】
携帯端末１１１は、ステップＳ７−４で入力手段１３２により初期化操作が行われると、ステップＳ７−５で一時親密度情報テーブル１４３の選択されたグループ名の親密度情報を恒久親密度情報テーブル１４２の選択されたグループ名の親密度情報に変更する。以上により一時親密度情報テーブル１４３の選択されたグループ名の親密度情報が恒久親密度情報テーブル１４２の選択されたグループ名の親密度情報に初期化される。
【００８６】
携帯端末１１１は、ステップＳ７−６で親密度初期化処理が解除されるまで、ステップＳ７−１〜Ｓ７−５の処理を繰り返す。
【００８７】
次にステップＳ６−３の親密度反映処理について説明する。
【００８８】
図１６は親密度反映処理の処理フローチャートを示す。
【００８９】
携帯端末１１１は、親密度反映処理に遷移すると、ステップＳ８−１で入力手段１３２による操作を待ち合わせる。携帯端末１１１は、ステップＳ８−２で入力手段１３２によりグループ名選択操作が行われると、ステップＳ８−３で操作に応じたグループ名を選択する。
【００９０】
携帯端末１１１は、ステップＳ８−４で入力手段１３２により反映操作が行われると、ステップＳ８−５で一時親密度情報テーブル１４３の選択されたグループ名の親密度情報を恒久親密度情報テーブル１４２の選択されたグループ名の親密度情報に複写する。以上により一時親密度情報テーブル１４３の選択されたグループ名の親密度情報が恒久親密度情報テーブル１４２の選択されたグループ名の親密度情報に反映され、初期化情報が更新される。
【００９１】
携帯端末１１１は、ステップＳ８−６で親密度初期化処理が解除されるまで、ステップＳ８−１〜Ｓ８−５の処理を繰り返す。
【００９２】
次にステップＳ６−７の親密度反映処理について説明する。
【００９３】
図１７は親密度参照処理の処理フローチャートを示す。
【００９４】
携帯端末１１１は、親密度参照処理に遷移すると、ステップＳ９−１で入力手段１３２による操作を待ち合わせる。携帯端末１１１は、ステップＳ９−２で入力手段１３２によりグループ名選択操作が行われると、ステップＳ９−３で操作に応じたグループ名を選択する。
【００９５】
携帯端末１１１は、ステップＳ９−４で選択されたグループ名の親密度情報を表示手段１２４に表示する。これによって、選択されたグループ名の親密度情報を参照することができる。携帯端末１１１は、ステップＳ９−５で親密度参照処理が解除されるまで、ステップＳ９−１〜Ｓ９−４の処理を繰り返す。
【００９６】
次にステップＳ１−７のポリシー選択処理について説明する。
【００９７】
図１８はポリシー選択処理の処理フローチャートを示す。
【００９８】
携帯端末１１１は、ポリシー選択処理に遷移すると、入力手段１３２による操作を待ち合わせる。携帯端末１１１は、ステップＳ１０−１の操作待ち状態で、入力手段１３２の操作によりステップＳ１０−２でポリシー登録操作が行われると、ステップＳ１０−３でポリシー登録処理状態に移行する。また、携帯端末１１１は、ステップＳ１０−４で、入力手段１３２の操作によりポリシー設定操作が行われると、ステップＳ１０−５でポリシー設定処理状態に移行する。
【００９９】
携帯端末１１１は、ステップＳ１０−６で、入力手段１３２の操作によりポリシー適用操作が行われると、ステップＳ１０−７でポリシー適用処理状態に移行する。携帯端末１１１はステップＳ１０−８で入力手段１３２の操作によりポリシー参照操作が行われると、ステップＳ１０−９でポリシー参照処理状態に移行する。
【０１００】
携帯端末１１１は、ステップＳ１０−１０で着信があると、ステップＳ１０−１１で着信制御処理状態に移行する。携帯端末１１１は、ステップＳ６−１２で入力手段１３２の操作によりポリシー選択処理が解除されるまでステップＳ１０−１〜Ｓ１０−１１を繰り返す。
【０１０１】
次にステップＳ１０−３のポリシー登録処理について説明する。
【０１０２】
図１９はポリシー登録処理の処理フローチャートを示す。
【０１０３】
携帯端末１１１はポリシー登録処理に移行すると、ステップＳ１１−１で操作待ち合わせ状態となる。携帯端末１１１はステップＳ１１−２で入力手段１３２の操作によりポリシー名入力画面を表示手段１２４に表示し、ポリシー名が入力されると、ステップＳ１１−３で入力内容の正当性、例えば、字数を判定し、入力内容が正当であると、ステップＳ１１−４で入力されたポリシー名をメモリなどに一時的に記憶する。携帯端末１１１はステップＳ１１−３で入力された名前が正当でない場合には、ステップＳ１１−５で表示手段１２４にエラー表示を行う。
【０１０４】
また、携帯端末１１１は、入力手段１３２の操作によりステップＳ１１−６で入力手段１３２の操作により登録操作が行われると、ステップＳ１１−７で登録情報が正当か否かを判定し、正当であれば、ステップＳ１１−８で記憶されたポリシー名に応じた登録情報を作成し、データベース１３０に登録する。
【０１０５】
また、携帯端末１１１は、ステップＳ１１−７で登録情報が不当である場合には、ステップＳ１１−５で表示手段１２４にエラー表示を行う。
【０１０６】
携帯端末１１１は、ステップＳ１１−９でポリシー登録処理が解除されるまで、ステップＳ１１−１〜Ｓ１１−８の処理を繰り返す。
【０１０７】
次にステップＳ１０−５のポリシー設定処理について説明する。
【０１０８】
図２０はポリシー設定処理の処理フローチャートを示す。
【０１０９】
携帯端末１１１は、ポリシー設定処理に遷移すると、ステップＳ１２−１で入力手段１３２による操作を待ち合わせる。携帯端末１１１は、ステップＳ１２−２で入力手段１３２によりポリシー名選択操作が行われると、ステップＳ１２−３で表示手段１２４にポリシー設定画面が表示され、ポリシーが入力可能となり、ステップＳ１２−４で入力手段１３２により入力されたポリシーがメモリなどの一時的に記憶される。
【０１１０】
携帯端末１１１は、ステップＳ１２−５で入力手段１３２により登録操作が行われると、ステップＳ１２−６でメモリに記憶された登録ポリシー情報をデータベース１３０に記憶させる。携帯端末１１１は、ステップＳ１２−７でポリシー登録処理が解除されるまで、ステップＳ１２−１〜Ｓ１２−６の処理を繰り返す。
【０１１１】
次にステップＳ１０−７のポリシー適用処理について説明する。
【０１１２】
図２１はポリシー適用処理の処理フローチャートを示す。
【０１１３】
携帯端末１１１は、ポリシー適用処理に遷移すると、ステップＳ１３−１で入力手段１３２による操作を待ち合わせる。携帯端末１１１は、ステップＳ１３−２で入力手段１３２によりポリシー名選択操作が行われると、ステップＳ１３−３で選択されたポリシー名をメモリなどに一時的に記憶する。
【０１１４】
携帯端末１１１は、ステップＳ１３−４で入力手段１３２によりポリシー設定操作が行われると、ステップＳ１３−５でメモリに記憶されたポリシー名のポリシー情報をデータベース１３０から読み出し、携帯端末１１１のポリシーとして適用する。
【０１１５】
携帯端末１１１は、ステップＳ１３−６でポリシー設定処理が解除されるまで、ステップＳ１３−１〜Ｓ１３−５の処理を繰り返す。
【０１１６】
次にステップＳ１０−９のポリシー参照処理について説明する。
【０１１７】
図２２はポリシー参照処理の処理フローチャートを示す。
【０１１８】
携帯端末１１１はポリシー参照処理に遷移すると、ステップＳ１４−１で入力手段１３２による操作を待ち合わせる。携帯端末１１１は、ステップＳ１４−２で表示手段１２４にポリシー参照画面を表示し、適用中のポリシー名を表示するとともにポリシー名を選択可能とする。携帯端末１１１は、ステップＳ１４−３で入力手段１３２によりグループ名選択操作が行われると、ステップＳ１４−４で選択されたグループ名の親密度情報及び親密度制御情報を表示手段１２４に表示する。これによって、選択されたグループ名のポリシーを参照可能となる。携帯端末１１１は、ステップＳ１４−５で親密度参照処理が解除されるまで、ステップＳ１４−１〜Ｓ１４−４の処理を繰り返す。
【０１１９】
次にステップＳ１−９、Ｓ２−９、Ｓ６−９、Ｓ１０−１１の着信制御処理について説明する。
【０１２０】
図２３は着信制御処理に処理フローチャートを示す。
【０１２１】
携帯端末１１１は着信があると、ステップＳ１５−１で通話相手の電話番号からデータベース１３０を検索し、適用されるポリシーを取得して、適用されるポリシーが通話か否かを判定する。携帯端末１１１はステップＳ１５−１で適用されるポリシーが通話の場合には、ステップＳ１５−２で着信通知を行い、通話相手との通話を可能とする。
【０１２２】
携帯端末１１１は通話相手との通話を可能とすると、ステップＳ１５−３で属するグループを検索し、データベース１３０の親密度制御情報テーブル１４４に設定された制御条件が通話か否かを判定する。携帯端末１１１は、ステップＳ１５−３で制御条件が通話の場合には、ステップＳ１５−４で設定回数をカウントアップする。
【０１２３】
次に携帯端末１１１は、ステップＳ１５−５で設定回数が親密度を制御する閾値に達したか否かを判定する。携帯端末１１１は、ステップＳ１５−５で設定回数が親密度を制御する閾値に達すると、ステップＳ１５−６で現在の親密度より上位の親密度があるか否かを判定する。携帯端末１１１はステップＳ１５−６で上位親密度があれば、ステップＳ１５−７で一時親密度情報テーブル１４３の親密度を上位の親密度に変更する。例えば、親密度「２」の場合親密度「１」に、親密度「１」の場合親密度「０」に親密度を更新する。
【０１２４】
また、携帯端末１１１は、ステップＳ１５−８で適用されるポリシーが留守録の場合、ステップＳ１５−９で留守録を実施する。携帯端末１１１は、ステップＳ１５−１０でデータベース１３０の親密度制御情報テーブル１４４に設定された制御条件が着信の場合、ステップＳ１５−１１で設定回数をカウントアップし、ステップＳ１５−５から処理を実行する。
【０１２５】
さらに、携帯端末１１１は、ステップＳ１５−８でポリシーが留守録でない、すなわち、着信拒否の場合、ステップＳ１５−１２で着信を拒否して、ステップＳ１５−５から処理を実施する。
【０１２６】
図２４〜図２６は表示手段１２４の表示画面の遷移を示す図である。
【０１２７】
携帯端末１１１は図９に示す処理時には、表示手段１２４に図２４（Ａ）に示すようなメニュー画面（１）を表示する。携帯端末１１１は、図２４（Ａ）に示す表示画面において、電話帳選択ボタンを操作すると、ステップＳ１−３の電話帳選択処理に移行し、図２４（Ｂ）に示すメニュー画面（２）を表示する。
【０１２８】
また、携帯端末１１１は、図２４（Ａ）に示す表示画面において、親密度選択ボタンを操作すると、ステップＳ１−５の親密度選択処理に移行し、図２４（Ｃ）に示すメニュー画面（３）を表示する。さらに、携帯端末１１１は、図２４（Ａ）に示す表示画面において、ポリシー選択ボタンを操作すると、ステップＳ１−５の親密度選択処理に移行し、図２４（Ｄ）に示すメニュー画面（４）を表示する。
【０１２９】
携帯端末１１１は、図２４（Ｂ）に示す電話帳選択処理画面においてグループ登録選択ボタンを操作すると、ステップＳ２−３のグループ登録処理に移行し、図２５（Ａ）に示すようなグループ登録画面を表示する。グループ登録画面では、グループ名、そのグループの親密度、閾値、条件など各種情報を登録することが可能となる。
【０１３０】
また、携帯端末１１１は、図２４（Ｂ）に示す電話帳選択処理画面においてグループ参照選択ボタンを操作すると、ステップＳ２−５のグループ参照処理に移行し、図２６（Ａ）に示すようなグループ参照画面を表示する。グループ参照画面には、グループ名、ポリシー名、親密度、登録者数、制御条件、通話相手氏名など各種情報が表示される。
【０１３１】
さらに、携帯端末１１１は、図２４（Ｂ）に示す電話帳選択処理画面において電話帳登録選択ボタンを操作すると、ステップＳ２−７の電話帳登録処理に移行し、図２５（Ｂ）に示すような電話帳登録画面を表示する。電話帳登録画面では通話相手氏名、グループ名、親密度、制御フラグ、電話番号などの情報が入力可能とされている。電話帳登録画面の入力に基づいて通話相手のグループ、親密度などを設定することが可能となる。
【０１３２】
また、携帯端末１１１は、図２４（Ｃ）に示す親密度選択処理画面において親密度初期化ボタンを操作すると、ステップＳ６−３の親密度初期化処理に移行し、図２６（Ｂ）に示すような親密度初期化画面を表示する。親密度初期化画面は、グループ名、初期化ボタン、戻るボタンを有し、初期化ボタンを操作することによって表示されたグループ名の親密度が恒久親密度情報テーブル１４２に記憶された親密度情報に初期化される。
【０１３３】
また、携帯端末１１１は、図２４（Ｃ）に示す親密度選択画面において親密度反映ボタンを操作すると、ステップＳ６−５の親密度反映処理に移行し、図２６（Ｃ）に示すような親密度反映画面を表示する。親密度反映画面には、グループ名、親密度反映ボタン、戻るボタンが表示されており、親密度反映ボタンが操作されると、恒久親密度情報テーブル１４２の親密度反映画面に表示されたグループ名の親密度情報が一時親密度情報テーブル１４３の親密度反映画面に表示されているグループ名の親密度情報に書き換えられる。
【０１３４】
さらに、携帯端末１１１は、図２４（Ｃ）に示す親密度選択画面において親密度参照ボタンを操作すると、ステップＳ６−７の親密度参照処理に移行し、図２６（Ｄ）に示すような親密度参照画面を表示する。親密度参照画面は通話相手氏名、グループ名、電話番号、親密度情報、着信回数などの情報が表示される。携帯端末１１１は、戻るボタンが操作されることにより、図２４（Ｃ）のメニュー画面（３）に復帰する。
【０１３５】
携帯端末１１１は、図２４（Ｄ）に示すポリシー選択画面においてポリシー登録ボタンを操作すると、ステップＳ１０−３のポリシー登録処理に移行し、図２５（Ｃ）に示すようなポリシー登録画面を表示する。ポリシー登録画面は、ポリシー名、登録ボタン、戻るボタンを有し、登録ボタンを操作することによって表示されたポリシー名のポリシー情報がデータベース１３０に設定される。
【０１３６】
また、携帯端末１１１は、図２４（Ｄ）に示すポリシー選択画面においてポリシー設定ボタンを操作すると、ステップＳ１０−５のポリシー設定処理に移行し、図２５（Ｄ）に示すようなポリシー設定画面を表示する。ポリシー設定画面には、ポリシー名、グループ名、親密度、適用ポリシーが設定可能とされている。ポリシー設定画面において、ポリシー名、グループ名、親密度、適用ポリシーを入力した後に、登録ボタンを操作することによって、ポリシー情報がデータベース１３０に登録される。また、携帯端末１１１は、戻るボタンが操作されると、図２４（Ｄ）に示すメニュー画面（４）に復帰する。
【０１３７】
さらに、携帯端末１１１は、図２４（Ｄ）に示すポリシー選択画面においてポリシー適用ボタンを操作すると、ステップＳ１０−７のポリシー適用処理に移行し、図２５（Ｅ）に示すようなポリシー適用画面を表示する。ポリシー適用画面はポリシー名、決定ボタン、戻るボタンを有し、決定ボタンを操作することにより、ポリシー適用画面に表示されたポリシー名のポリシーが着信制御のポリシーとして適用される。また、携帯端末１１１は、戻るボタンが操作されることにより、図２４（Ｄ）のメニュー画面（４）に復帰する。
【０１３８】
さらに、携帯端末１１１は、図２４（Ｄ）に示すポリシー選択画面においてポリシー参照ボタンを操作すると、ステップＳ１０−９のポリシー参照処理に移行し、図２６（Ｅ）に示すようなポリシー参照画面を表示する。ポリシー参照画面はポリシー名、グループ名、設定されている親密度、通話制御情報などが表示される。ポリシー参照画面は、戻るボタンを有し、戻るボタンが操作されることにより、図２４（Ｄ）のメニュー画面（４）に復帰する。
【０１３９】
携帯端末１１１に図２４〜図２６に示すようなメニュー画面が表示されることによって、各種設定、設定の参照が可能とされている。
【０１４０】
また、位置情報などを検出し、検出位置に応じてグループやポリシー情報が自動的に切り替わるようにしてもよい。
【０１４１】
なお、本実施例では、通話装置として携帯電話を例に説明したが、本実施例の親密度及びポリシー情報に基づいて行われる着信制御は、携帯電話に限定されるものではなく、固定電話機などに適用することも可能であることは言うまでもない。
【０１４２】
なお、本発明は上記実施例に限定されるものではなく、本発明の要旨を逸脱しない範囲において種々の変形例が考えられることは言うまでもない。
【図面の簡単な説明】
【０１４３】
【図１】本発明の一実施例のシステム構成図である。
【図２】携帯端末１１１のブロック構成図である。
【図３】データベース１３０のデータ構成図である。
【図４】本発明の一実施例の動作の概要を説明するための図である。
【図５】本発明の一実施例の動作の概要を説明するための図である。
【図６】親密度の自動更新と退避・復元を説明するための図である。
【図７】本発明の一実施例の着信時の動作説明図である。
【図８】本発明の一実施例の概略動作説明図である。
【図９】携帯端末１１１の処理フローチャートである。
【図１０】電話帳選択処理の処理フローチャートである。
【図１１】グループ登録処理の処理フローチャートである。
【図１２】グループ参照処理の処理フローチャートである。
【図１３】電話帳登録処理の処理フローチャートである。
【図１４】親密度選択処理の処理フローチャートである。
【図１５】親密度初期化処理の処理フローチャートである。
【図１６】親密度反映処理の処理フローチャートである。
【図１７】親密度参照処理の処理フローチャートである。
【図１８】ポリシー選択処理の処理フローチャートである。
【図１９】ポリシー登録処理の処理フローチャートである。
【図２０】ポリシー設定処理の処理フローチャートである。
【図２１】ポリシー適用処理の処理フローチャートである。
【図２２】ポリシー参照処理の処理フローチャートである。
【図２３】着信制御処理の処理フローチャートである。
【図２４】表示手段１２４の表示画面の遷移を示す図である。
【図２５】表示手段１２４の表示画面の遷移を示す図である。
【図２６】表示手段１２４の表示画面の遷移を示す図である。
【符号の説明】
【０１４４】
１００  通話システム
１１１、１１２  携帯端末、１１３  ネットワーク
１２１  通信手段、１２２  通話手段、１２３  ポリシー取得手段
１２４  表示手段、１２５  制御手段、１２６  ポリシー定義手段
１２７  相手定義手段、１２８  相手管理手段、１２９  ポリシー管理手段
１３０データベース、１３１  情報編集手段、１３２  入力手段
１４１  相手情報テーブル、１４２  恒久親密度テーブル
１４３  一時親密度情報テーブル、１４４  親密度制御情報テーブル
１４５  グループ情報テーブル、１４６  ポリシー情報テーブル
【図１】
2008060917.tif 000003
【図２】
2008060917.tif 000004
【図３】
2008060917.tif 000005
【図４】
2008060917.tif 000006
【図５】
2008060917.tif 000007
【図６】
2008060917.tif 000008
【図７】
2008060917.tif 000009
【図８】
2008060917.tif 000010
【図９】
2008060917.tif 000011
【図１０】
2008060917.tif 000012
【図１１】
2008060917.tif 000013
【図１２】
2008060917.tif 000014
【図１３】
2008060917.tif 000015
【図１４】
2008060917.tif 000016
【図１５】
2008060917.tif 000017
【図１６】
2008060917.tif 000018
【図１７】
2008060917.tif 000019
【図１８】
2008060917.tif 000020
【図１９】
2008060917.tif 000021
【図２０】
2008060917.tif 000022
【図２１】
2008060917.tif 000023
【図２２】
2008060917.tif 000024
【図２３】
2008060917.tif 000025
【図２４】
2008060917.tif 000026
【図２５】
2008060917.tif 000027
【図２６】
2008060917.tif 000028